(57)【要約】      （修正有）【課題】蛍光灯ランプの直接照射を制限する光量調整フィルムを使用することにより、蛍光灯の明かりが筋模様となって浮き出るのを防ぎ、内照式看板の厚みを薄くする。【解決手段】蛍光灯ランプ２を内蔵させた両面発光形式の箱状内照式看板１及びそれに使用する光量調整フィルムである。フィルムは、筒状の透明シート３からなり、前記透明シート３は、文字や模様が描かれる看板の表裏面側の双方とも蛍光灯ランプ位置近傍に光発散防止材４が設けられている。この光発散防止材は、多数の細線アルミ蒸着面又は細線状、網状又は格子状印刷面又はその組合せから成る。【選択図】図１
2005165074.tif 000002
【特許請求の範囲】
【請求項１】
蛍光灯ランプ（２）を内蔵させた両面発光形式の箱状内照式看板（１）用の光量調整フィルムであって、
筒状の透明シート（３）からなり、
前記透明シート（３）は、文字や模様が描かれる看板表裏面側の双方とも蛍光灯ランプ位置近傍に光発散防止材（４）が設けられている
ことを特徴とする内照式看板用の光量調整フィルム。
【請求項２】
前記透明シート（３）が、耐熱性と剛性を有するポリエステルである請求項１記載の光量調整フィルム。
【請求項３】
前記光発散防止材（４）が多数の細線アルミ蒸着面である請求項１記載の光量調整フィルム。
【請求項４】
前記光発散防止材（４）が、細線状、網状又は格子状印刷面である請求項１記載の光量調整フィルム。
【請求項５】
蛍光灯ランプ（２）を内蔵させた両面発光形式の箱状の内照式看板（１）であって、
表裏両面に文字や模様が描かれる看板表面（５ａ，５ｂ）を有しており、
前記蛍光灯ランプ（２）は、請求項１ないし４のいずれかに記載の内照式看板用の光量調整フィルムで覆われている
ことを特徴とする内照式看板。
【発明の詳細な説明】
【技術分野】
【０００１】
本発明は内照式看板用の光量調整フィルム及びこれを使用した内照式看板に関する。
【背景技術】
【０００２】
内照式看板は、内蔵の蛍光灯により看板表面の文字や図形を明るく照らして宣伝効果を高めようとするものである。
【０００３】
内照式看板の厚みを薄くすると、内蔵の蛍光灯と看板表面とが近接するので、蛍光灯の明かりが強く表面に照射され、それが表面に筋模様となって浮き出るようになる。それが看板の美観を害するため、ある程度（例えば約２０ｃｍ）以上に厚みを薄くすることはできなかった。もし、内照式看板の厚みを薄くすることができれば、スペース的にもそれだけ余裕ができると共に大幅に軽量化されるので、さまざまな面で看板制作の自由度が増すのは当然である。
【０００４】
この観点から、本出願人は片面発光形式の内照式看板用光量調整フィルム及びそれを使用した内照式看板を提案したことがある。現在未公開の特願２００２−３５５１３０である。ここで「片面」というのは箱状の内照式看板において、文字又は図形が表示されているのが表側の表示面のみであるものをいう。
【発明の開示】
【発明が解決しようとする課題】
【０００５】
本発明は、両面発光形式の箱状内照式看板用の光量調整フィルム及びこれを使用した内照式看板を提供しようとするものである。ここで「両面」というのは箱状の内照式看板において、文字又は図形が表示されているのが表裏双方の表示面であるものをいう。
【課題を解決するための手段】
【０００６】
本発明の内照式看板用の光量調整フィルムは、蛍光灯ランプを内蔵させた両面発光形式の箱状内照式看板用の光量調整フィルムであって、筒状の透明シートからなり、前記透明シートは、文字や模様が描かれる看板表裏面側の双方とも蛍光灯ランプ位置近傍に光発散防止材が設けられていることを特徴とする。
【０００７】
本発明は、また、蛍光灯ランプを内蔵させた箱状の内照式看板であって、表裏両面に文字や模様が描かれる看板表面を有しており、前記蛍光灯ランプは、表裏両面とも前記内照式看板用の光量調整フィルムで覆われていることを特徴とする。
【発明の効果】
【０００８】
本発明の光量調整フィルムを使用した内照式看板によれば、看板の厚みを薄くして内蔵の蛍光灯ランプ２と看板表面５ａ，５ｂとを近接させても、蛍光灯の明かりが筋模様となって浮き出ることがない。したがって、内照式看板の厚みを相当程度（例えば約１０ｃｍ）に薄くすることができる。
【発明を実施するための最良の形態】
【０００９】
透明シートとしては、耐熱性と剛性を有するポリエステルが好ましい。「筒状」とは、必ずしも円形の筒である必要はなく、アーモンド形や三角形、四角形、五角形等の多角形でもよい。
【００１０】
光発散防止材としては、光発散防止の目的に添うものであればどのようなものでもよく、光発散防止材を透明シートに設けるには、例えば塗布又は印刷によることができる。例えば、光発散防止材として、多数の細線アルミ蒸着面を使用することができる。細線状、網状又は格子状、その他の印刷面でもよい。それらの組合せでもよい。細線の幅は約０．５〜１．５ｍｍで、本数は例えば５ｃｍあたり２０〜５０本、好ましくは、３０〜４０本とすることができる。
【実施例１】
【００１１】
以下、添付の図面に基づき、本発明の実施例を説明する。
【００１２】
図１は、本発明の光量調整フィルムを使用した内照式看板１の斜視図である。全体は箱状であり、表裏に看板の文字や図形が描かれる表示面５ａ，５ｂを有する。本図では、一方表示面５ａの一部表面を切り欠いて内部の蛍光灯ランプ２を示している。
【００１３】
図１から明らかなように、本発明では、蛍光灯のランプ２を筒状透明シート３で覆っている。ここで使用するシートとしては、耐熱性と剛性を有するものが好ましく、例えばポリエステルが使用可能である。
【００１４】
図２に示すように、このシート３は、２枚の透明シートの縁を超音波溶接により接合したものとするのが好ましい。その中に蛍光灯ランプ２を通すとシート３は上下に引っ張られて断面がアーモンド形となる。
【００１５】
このシート３に光発散抑制効果を持たせるため、看板表裏面双方の蛍光灯位置近傍のシート外側に光発散防止材４を設けている。この実施例では、図３に示すように、光発散防止材４は多数の細線アルミ蒸着面である。細線は５ｃｍあたり３６本であり、１本の幅は約１ｍｍである。これを形成するには、まず、シート表面の前記位置にアルミ蒸着し、細線状にマスキング印刷した後、不要部分を液剤で洗い流せばよい。図３は平面図であるが、光発散防止材４は表裏面に対称的に設けられているので、底面図も同様に現れる。
【００１６】
図示しないが、光発散防止材４としては、インクを使用した印刷でもよい。印刷模様としても細線状だけでなく、網状、格子状等でもよい。
【００１７】
図４は本発明の光発散防止材４を使用した透明シートを蛍光灯ランプ２にかぶせたときとかぶせなかったときの輝度比較グラフである。本発明により、輝度の濃淡が著しく緩和されていることが分かる。
【図面の簡単な説明】
【００１８】
【図１】本発明の光量調整フィルムを使用した内照式看板の斜視図である。一部表面を切り欠いて内部の蛍光灯を示している。
【図２】図１のＩＩ−ＩＩ線断面図である。
【図３】本発明における蛍光灯ランプ１本の平面図である。図示しないが、底面図も同一に現れる。
【図４】本発明の光量調整フィルムを使用したときと使用しないときを比較した測定データである。
【符号の説明】
【００１９】
１    内照式看板
２    蛍光灯ランプ
３    筒状透明シート
４    光発散防止材
５ａ，５ｂ  看板表面
【図１】
2005165074.tif 000003
【図２】
2005165074.tif 000004
【図３】
2005165074.tif 000005
【図４】
2005165074.tif 000006